(57)【特許請求の範囲】
【請求項１】
インク滴を吐出する複数のノズルを配列して構成した複数のノズル列が配列されたインクジェットヘッドと、
前記インクジェットヘッドに対向させて記録媒体を搬送する搬送手段とを含むインクジェット記録装置であって、
前記インクジェットヘッドは、隣り合うノズル列の各々の端部に位置するノズルによって記録されるドットの前記記録媒体の搬送方向と直交する方向のドット間隔であるノズル列間ドット間隔が、前記隣り合うノズル列における同一ノズル列に属するノズルによって記録されるドットの前記搬送方向と直交する方向のドット間隔であるノズル列内ドット間隔より狭くなるように、前記複数のノズル列を配置し、
前記インクジェットヘッドの前記ノズル列が、前記搬送方向に対して傾斜し、
前記インクジェットヘッドは、前記搬送方向に対して前記ノズル列が傾斜している方向と同じ方向に、前記搬送方向と直交する方向に対して傾斜して設けられており、
前記搬送手段の搬送方向の斜行値を検知する検知手段と、
前記検知手段によって検知された前記搬送方向の斜行値と、前記インクジェットヘッドの設置傾斜角とに基づいて、相対斜行値を算出し、前記相対斜行値に基づいて、前記ノズル列間ドット間隔を算出する算出手段と、
前記算出手段によって算出された前記ノズル列間ドット間隔が小さいほど、隣り合うノズル列の各々の端部に位置するノズルに対応する画素の濃度値を減少させるように補正する補正手段と、を含むインクジェット記録装置。
【発明の詳細な説明】
【技術分野】
【０００１】
本発明は、インクジェット記録装置に係り、特に、複数のノズル列が配列されたインクジェットヘッドを有するインクジェット記録装置に関する。
【背景技術】
【０００２】
近年、インクジェット記録装置には、高速化の要求により、インクジェットヘッドの主走査方向の長さが記録媒体の幅以上であって、記録媒体の副走査方向の走査のみで記録画像を完成させるＦＷＡ（Ｆｕｌｌ  Ｗｉｄｔｈ  Ａｒｒａｙ）方式のインクジェット記録装置が知られている。
【０００３】
また、インクジェット記録装置には、高画質化が求められており、高解像度化が要求されている。高解像度化を実現するために、インクジェットヘッドの高密度化が図られているが、ピエゾ方式のインクジェット記録ヘッドにおいてはアクチュエータの機械的な要素により、１直線上にノズルを高密度に配置することが困難である。
【０００４】
このため、ノズルが二次元状（マトリクス状）に配置され、ある一方向に対して高密度に記録可能なインクジェットヘッドが知られている。このようなインクジェットヘッドの場合、想定される副走査方向（搬送ベルトの搬送方向）に対して少しでも傾斜して搬送されると、記録媒体上の記録画像に白スジが発生し、致命的な画像欠陥を生じてしまう。
【０００５】
この白スジの発生を防止するために、用紙送り誤差計測装置からのスキュー量に基づいて、各ノズルから吐出されるインク液滴の吐出タイミング、吐出初速度、及び荷電量の設定値を連動して変更するように制御するインクジェット記録装置が知られている（特許文献１）。
【特許文献１】特開２００３―１９７８９
【発明の開示】
【発明が解決しようとする課題】
【０００６】
しかしながら、特許文献１に記載のインクジェット記録装置では、制御が複雑となり、また、用紙送り誤差計測装置が必要なためコストがかかる、という問題がある。
【０００７】
本発明は、上記の問題点を解決するためになされたもので、安価かつ簡単な構成で、白スジの発生による画質劣化を防止することができるインクジェット記録装置を提供することを目的とする。
【課題を解決するための手段】
【０００８】
上記の目的を達成するために本発明に係るインクジェット記録装置は、インク滴を吐出する複数のノズルを配列して構成した複数のノズル列が配列されたインクジェットヘッドと、前記インクジェットヘッドに対向させて記録媒体を搬送する搬送手段とを含むインクジェット記録装置であって、前記インクジェットヘッドは、隣り合うノズル列の各々の端部に位置するノズルによって記録されるドットの前記記録媒体の搬送方向と直交する方向のドット間隔であるノズル列間ドット間隔が、前記隣り合うノズル列における同一ノズル列に属するノズルによって記録されるドットの前記搬送方向と直交する方向のドット間隔であるノズル列内ドット間隔より狭くなるように、前記複数のノズル列を配置し、前記インクジェットヘッドの前記ノズル列が、前記搬送方向に対して傾斜し、前記インクジェットヘッドは、前記搬送方向に対して前記ノズル列が傾斜している方向と同じ方向に、前記搬送方向と直交する方向に対して傾斜して設けられており、前記搬送手段の搬送方向の斜行値を検知する検知手段と、前記検知手段によって検知された前記搬送方向の斜行値と、前記インクジェットヘッドの設置傾斜角とに基づいて、相対斜行値を算出し、前記相対斜行値に基づいて、前記ノズル列間ドット間隔を算出する算出手段と、前記算出手段によって算出された前記ノズル列間ドット間隔が小さいほど、隣り合うノズル列の各々の端部に位置するノズルに対応する画素の濃度値を減少させるように補正する補正手段と、を含むことを特徴としている。
【０００９】
本発明に係るインクジェット記録装置よれば、搬送手段によって、搬送方向と同一方向に記録媒体が搬送された場合には、ノズル列内ドット間隔よりノズル列間ドット間隔が狭くなるように、複数のノズル列が配置されているため、隣り合うノズル列の各々の端部に位置するノズルによって記録されるドットにより、白スジが発生することはない。
【００１０】
また、搬送手段によって、搬送方向に対して傾斜する方向に記録媒体が搬送された場合には、ノズル列間ドット間隔が狭くなっているため、隣り合うノズル列の各々の端部に位置するノズルによって記録されるドットにより白スジの発生が抑止される。
【００１１】
従って、隣り合うノズル列の各々の端部に位置するノズルによって記録されるドットによるノズル列間ドット間隔が、同一ノズル列に属するノズルによって記録されるドットによるノズル列内ドット間隔より狭くなるように、複数のノズル列が配置されており、ノズル列のつなぎ目に対応するドットによる白スジの発生が抑止されるため、安価かつ簡単な構成で、白スジの発生による画質劣化を防止することができる。
【００１２】
また、本発明に係るインクジェットヘッドのノズル列が、搬送方向に対して傾斜するようにする。
【００１３】
また、本発明に係るインクジェットヘッドは、搬送方向に対してノズル列が傾斜している方向と同じ方向に、搬送方向と直交する方向に対して傾斜して設けられているようにする。これにより、インクジェットヘッドを傾斜させることによって、ノズル列間ドット間隔が、ノズル列の各ノズルによって記録されるドットによるノズル列内ドット間隔より狭くなるようにすることができる。
【発明の効果】
【００１５】
以上説明したように、本発明のインクジェット記録装置によれば、隣り合うノズル列の各々の端部に位置するノズルによって記録されるドットによるノズル列間ドット間隔が、同一ノズル列に属するノズルによって記録されるドットによるノズル列内ドット間隔より狭くなるように、複数のノズル列が配列されており、ノズル列のつなぎ目に対応するドットによる白スジの発生が抑止されるため、安価かつ簡単な構成で、白スジの発生による画質劣化を防止することができる、という効果が得られる。
【発明を実施するための最良の形態】
【００１６】
以下、本発明の実施の形態について図面を参照して説明する。
【００１７】
図１に示すように、第１の実施の形態に係るインクジェット記録装置１０は、記録用紙Ｐにインク滴を吐出するインクジェットヘッドユニット１２を備えており、インクジェットヘッドユニット１２は、図２に示すように、シアン（Ｃ）、マゼンタ（Ｍ）、イエロー（Ｙ）、黒（Ｋ）の４色のインク滴各々をノズルから吐出するインクジェットヘッド１４Ｃ、１４Ｍ、１４Ｙ、１４Ｋを備えている。インクジェットヘッド１４Ｃ、１４Ｍ、１４Ｙ、１４Ｋは記録用紙Ｐの幅以上の有効印字領域を有する長尺のライン型ヘッドで、記録用紙Ｐの幅方向の印字領域に一斉にインク滴を吐出する。また、インクジェットヘッド１４のノズルからインク滴を吐出させる方式は、アクチュエータでインク室を加圧するピアゾ方式やサーマル方式等の公知の方式を適用可能である。
【００１８】
また、インクは、インクジェットヘッドユニット１２の上方に配置されたインクタンク（図示省略）から配管を通じてインクジェットヘッド１４Ｃ、１４Ｍ、１４Ｙ、１４Ｋへ供給され、インクの種類は、水性インク、油性インク、溶剤系インク等の公知のインクが適用可能である。
【００１９】
インクジェット記録装置１０の最下部には、給紙トレイ１６が挿抜可能に設けられており、給紙トレイ１６には、記録用紙Ｐが積載されており、最上位の記録用紙Ｐにはピックアップロール１８が当接している。記録用紙Ｐは、ピックアップロール１８によって１枚ずつ給紙トレイ１６から搬送方向下流側へ給紙され、搬送経路に沿って順に配設された搬送ロール２０、２２によってインクジェットヘッドユニット１２の下方へ給紙される。
【００２０】
また、インクジェットヘッドユニット１２の下方には、無端状の搬送ベルト２４が配設されており、搬送ベルト２４は、駆動ロール２６及び従動ロール３０に張架され、駆動ロール２６が駆動することにより、搬送ベルト２４が回動するようになっている。
【００２１】
なお、搬送ベルト２４は、一例として、ウレタンなどのゴムやＰＥＴ、ＥＴＦＥ、ＰＩなどの樹脂により成形されている。
【００２２】
また、記録用紙Ｐが搬送ベルト２４に接触する位置の上流側に、電源装置３４が接続された帯電ロール３２が配置されている。帯電ロール３２は、従動ロール３０との間で搬送ベルト２４を挟みつつ従動し、搬送ベルト２４に押圧する押圧位置と、搬送ベルト２４から離間した離間位置との間を移動可能とされている。押圧位置では、帯電ロール３２が搬送ベルト２４に対して放電し、搬送ベルト２４の表面に電荷を与えるようになっている。なお、帯電ロールに限定されるものではなく、鋸歯状電極などでもよい。また、電源装置３４は、例えば、ＡＣ電源から構成されており、直流電圧を帯電ロール３２に印加するようになっている。
【００２３】
また、帯電ロール３２より上流側には、搬送ベルト２４に帯電された電荷を除電するための除電ロール３６が設けられている。
【００２４】
また、インクジェットヘッドユニット１２の下流側には、記録用紙Ｐの排出経路を構成する複数の排出ロール対４０が設けられ、排出ロール対４０で構成された排出経路の先には、排紙トレイ４２が設けられている。
【００２５】
また、インクジェット記録装置１０には、ＣＰＵ、ＲＯＭ、及びＲＡＭから構成される制御部５６が設けられており、制御部５６によって、インクジェットヘッドユニット１２、各種ロールを駆動する複数のモータ（図示省略）を含むインクジェット記録装置１０の全体を制御している。
【００２６】
インクジェットヘッド１４のノズルは、図３に示すように、複数のノズルからなるノズル列が複数配列されており、各ノズル列の配列方向は平行になっている。１つのノズル列は、例えば３２個のノズルから構成され、各ノズルが等間隔に配置されており、ノズル列が例えば２２５個配列されている。
【００２７】
各ノズル列は、搬送ベルト２４の搬送方向に対して傾斜して配置されており、インクジェットヘッド１４の長さ方向（主走査方向）に対して各ノズルを投影したときに、ノズル列内でのノズルの投影位置のノズル間投影距離と、隣り合ったノズル列のつなぎ目となる端部の各々に位置するノズルの投影位置のつなぎ目ノズル間投影距離とが等しくなるように、各ノズル列が配置されている。例えば、ノズル間投影距離は、１／６００ｉｎｃｈとなっており、つなぎ目ノズル間投影距離も１／６００ｉｎｃｈとなるように、隣り合ったノズル列の同じ側の端部に位置するノズルの投影位置の投影距離が、３２／６００ｉｎｃｈとなっている。これにより、記録用紙Ｐを副走査しながらノズルからインク滴を吐出することにより、インクジェット１４の長さ方向に対して６００ｄｐｉの記録が行えるようになっている。
【００２８】
また、図４に示すように、インクジェットヘッド１４Ｙ、１４Ｍ、１４Ｃ、１４Ｋの各々の長さ方向が、搬送ベルト２４の搬送方向の直交する方向に対して傾斜するように、インクジェットヘッド１４Ｙ、１４Ｍ、１４Ｃ、１４Ｋの各々が取り付けられており、長さ方向が傾斜する方向は、搬送ベルト２４の搬送方向に対してノズル列が傾斜した方向と同じ方向になっている。その結果、図５（Ａ）に示すように、搬送ベルト２４の搬送方向に直交する方向に対して各ノズルを投影したときに、ノズル列内の各ノズルの投影位置のノズル間投影距離より、隣り合ったノズル列のつなぎ目となる端部の各々に位置するノズルの投影位置のつなぎ目ノズル間投影距離が狭くなっている。
【００２９】
ここで、搬送方向とは、搬送ベルト２４が記録用紙Ｐを搬送しようとする方向であって、搬送ベルト２４の回動方向と等しい。また、主走査方向とは、インクジェットヘッド１４の長さ方向（ノズルの並び方向）であり、記録用紙Ｐの搬送方向と直交する方向と等しく、副走査方向とは、記録用紙Ｐの搬送方向である。
【００３０】
次に、インクジェット記録装置１０のプリント動作について説明する。まず、制御部５６は、プリントジョブの指令を受け取ると、ピックアップロール１８、全ての搬送ロール、搬送ベルト２４を駆動させて給紙トレイ１６から記録用紙Ｐを送り出す。さらにダミージェットを行い、インクジェットヘッドユニット１２のノズルの性能を初期化し、インクジェットヘッドユニット１２によるインク滴の吐出を制御するヘッド制御部（図示省略）は、画像信号に対応するノズルの圧電素子に、画像信号に応じたタイミングで駆動電圧を印加する。
【００３１】
これによって、搬送ベルト２４で搬送されている記録用紙Ｐが印字されるが、この印字工程については詳細に後述する。そして、印字された記録用紙Ｐは、搬送ベルト２４、排出ロール対４０によって排紙トレイ４２まで搬送される。
【００３２】
ここで、印字工程について説明する。まず、制御部５６は、プリントジョブを受信すると、帯電ロール３２をオンにし、電源装置３４から電圧を帯電ロール３２に印加させる。そして、帯電ロール３２が搬送ベルト２４に放電すると、搬送ベルト２４の表面には、電荷が帯電され、記録用紙Ｐが搬送ベルト２４の表面に静電吸着される。
【００３３】
これによって、搬送ベルト２４へ給紙された記録用紙Ｐが、搬送ベルト２４の表面に静電吸着されてインクジェットヘッドユニット１２の印字領域を通過する。その際、制御部５６は、インクジェットヘッドユニット１２を作動して記録用紙Ｐに印字を行う。
【００３４】
ここで、記録用紙Ｐ上に吐出されたインク滴によるドットのドット間隔について図５を用いて説明する。記録用紙Ｐが搬送ベルト２４の搬送方向と同一方向に搬送される場合には、図５（Ａ）に示すように、各ノズル列内のノズルによって吐出されたインク滴のドットによるノズル列内ドット間隔は、一定の間隔となっており、隣り合ったノズル列のつなぎ目となる端部の各々に位置するノズルによって吐出されたインク滴のドットによるつなぎ目ノズル列間ドット間隔は、ノズル列内ドット間隔より狭くなっている。
【００３５】
また、搬送ベルト２４における製造上のばらつきによる微小な凹凸及び伸張度の不均一性や、駆動ロール２６及び従動ロール３０の製造上のばらつきによる凹凸により、記録用紙Ｐの表面において、静電吸着する力が不均一であると、搬送ベルト２４の搬送方向に傾斜して記録用紙Ｐが搬送される場合がある。
【００３６】
この記録用紙Ｐの傾斜搬送方向が、ノズル列が傾斜している方向と同じ方向に、搬送ベルト２４の搬送方向に対して傾斜している場合には、図５（Ｂ）に示すように、各ノズル列内のノズルによって吐出されたインク滴のドットによるノズル列内ドット間隔は、一定の間隔となっており、隣り合ったノズル列のつなぎ目となる端部の各々に位置するノズルによって吐出されたインク滴のドットによるつなぎ目ノズル列間ドット間隔は、ノズル列内ドット間隔とほぼ等しくなっている。
【００３７】
また、記録用紙Ｐの傾斜搬送方向が、ノズル列が傾斜している方向と反対の方向に、搬送ベルト２４の搬送方向に対して、傾斜している場合には、図５（Ｃ）に示すように、各ノズル列内のノズルによって吐出されたドットによるノズル列内ドット間隔は、一定の間隔となっており、隣り合ったノズル列のつなぎ目である端部に位置するノズルによって吐出されたドットによるつなぎ目ノズル列間ドット間隔は、ほぼ０となっており、端部に位置するノズルによって吐出されたインク滴のドットは、隣のノズル列の端部に位置するノズルによって吐出されたインク滴のドットと重なっている。
【００３８】
上記のドット間隔となっているインクジェットヘッド１４によって記録用紙Ｐに画像記録を行うと、記録用紙Ｐが搬送ベルト２４の搬送方向と同一方向に搬送される場合には、図６（Ａ）に示すように、ノズル列のつなぎ目となる端部のノズルにより吐出されたインク滴によるドット部分の濃度が増加する。また、記録用紙Ｐの傾斜搬送方向が、搬送ベルト２４の搬送方向に対して、ノズル列が傾斜している方向と同じ方向に、傾斜している場合には、図６（Ｂ）に示すように、濃度が増加しているドット部分は存在しない。記録用紙Ｐの傾斜搬送方向が、搬送ベルト２４の搬送方向に対して、ノズル列が傾斜している方向と反対の方向に、傾斜している場合には、図６（Ｃ）に示すように、ノズル列のつなぎ目となる端部のノズルにより吐出されたインク滴によるドット部分の濃度が増加し、また、図６（Ａ）で示した場合よりつなぎ目のドット部分の濃度が増加する。
【００３９】
次に、搬送方向に直交する方向に対する、インクジェットヘッド１４の長さ方向の傾斜角度θＡについて説明する。
【００４０】
インクジェットヘッド１４を所定角度だけ傾斜して設けたときに、搬送ベルト２４の搬送方向と同一方向に記録用紙Ｐが搬送されると、隣り合ったノズル列のつなぎ目ノズル列間ドット間隔が０になり、つなぎ目となる端部のノズルによるドットが重なっている場合には、傾斜搬送方向が搬送方向に対して傾斜すると、記録用紙Ｐに記録された主走査方向のドット列において、ドットに対応するノズルの並び順が逆転してしまい、線画の画像欠陥が発生してしまう可能性がある。また、インクジェットヘッド１４を所定角度だけ傾斜して設けたときに、搬送ベルト２４の搬送方向と同一方向に記録用紙Ｐが搬送されると、隣り合ったノズル列のつなぎ目ノズル列間ドット間隔がノズル列内ドット間隔以上である場合には、傾斜搬送方向が搬送方向に対して傾斜すると、ノズル列のつなぎ目において白スジが発生してしまう可能性がある。
【００４１】
従って、搬送ベルト２４の搬送方向と同一方向に記録用紙Ｐが搬送される場合に、隣り合ったノズル列のつなぎ目ノズル列間ドット間隔が、０より大きくノズル列内ドット間隔より小さくなるように、インクジェットヘッド１４を所定角度だけ傾斜して設置する。
【００４２】
ここで、インクジェットヘッド１４の長さ方向を搬送方向に直交する方向に対して傾斜させて、隣り合ったノズル列のつなぎ目ノズル列間ドット間隔が０になるようにした場合に、インクジェットヘッド１４の長さ方向の搬送方向に直交する方向に対する傾斜角度をθａとすると、インクジェットヘッド１４の長さ方向の傾斜角度θＡを以下の式を満たすようにする。
０＜θＡ＜θａ
好ましい形態としては、記録用紙Ｐが搬送ベルト２４の搬送方向と同一方向に搬送される場合に、つなぎ目ノズル列間ドット間隔が、ノズル列内ドット間隔の１／２となるように、インクジェットヘッド１４の長さ方向の傾斜角度θＡをθａの１／２とし、例えば、ノズル列内ドット間隔が１／６００ｉｎｃｈ（＝０．０４２３ｍｍ）であって、θａが０．１１５５°である場合には、傾斜角度を０．０５８°とする。
【００４３】
以上説明したように、第１の実施の形態に係るインクジェット記録装置によれば、隣り合うノズル列のつなぎ目となる端部の各々に位置するノズルからのインク滴の吐出によるドットのドット間隔であるつなぎ目ノズル列間ドット間隔が、ノズル列の各ノズルの吐出によるドットのドット間隔であるノズル列内ドット間隔より狭くなるように、複数のノズル列が配列され、かつ、インクジェットヘッドの長さ方向が傾斜しており、ノズル列のつなぎ目に対応するドットによる白スジの発生が抑止されるため、安価かつ簡単な構成で、白スジの発生による画質劣化を防止することができる。
【００４４】
なお、上記の実施の形態では、各色に対応したインクジェットヘッドを各々傾斜させた場合を例に説明したが、全てのインクジェットヘッドをまとめて傾斜させるようにインクジェットユニットごと傾斜させてもよい。
【００４５】
また、インクジェットヘッドを傾斜させる場合を例に説明したが、インクジェットヘッドを傾斜させずに、上記で説明したように、記録用紙が搬送ベルトの搬送方向と同一方向に搬送される場合に、ノズル列内ドット間隔よりつなぎ目ノズル列間ドット間隔が狭くなるように、複数のノズル列を傾斜させて配列するようにしてもよい。
【００４６】
次に、第２の実施の形態について説明する。なお、第１の実施の形態と同一部分については、同一符号を付して説明を省略する。
【００４７】
第２の実施の形態では、図７に示すように、インクジェットヘッド１４Ｙ、１４Ｍ、１４Ｃ、１４Ｋを傾斜させるのではなく、インクジェットヘッド１４の長さ方向に直交する方向に対して、搬送方向が傾斜するように搬送ベルト２４を傾斜させて設けた点が第１の実施の形態と異なる。この構成によっても、第１の実施の形態と同様の作用及び効果が得られる。
【００４８】
次に、第３の実施の形態について説明する。なお、第１の実施の形態と同一部分については同一符号を付して説明を省略する。
【００４９】
第３の実施の形態では、図８に示すように、搬送ベルト１２４の表面上に識別マーク１２６を付しておき、この識別マーク１２６を読み取って、搬送ベルト１２４の斜行を検出するための斜行センサ１２８Ａ、１２８Ｂが設けられている点が第１の実施の形態と異なる。
【００５０】
搬送ベルト１２４による記録用紙Ｐの傾斜搬送方向が搬送ベルト１２４の搬送方向に対して傾斜することが、搬送ベルト１２４の伸張度の不均一性などによって発生する場合には、搬送ベルトそのものが斜行するため、識別マーク１２６の経路上に斜行センサ１２８Ａ、１２８Ｂを設け、識別マーク１２６を斜行センサ１２８Ａ、１２８Ｂによって読み取り、識別マーク１２６の読取位置を示す読取位置情報から斜行している度合いを示す斜行値を検知することにより、記録用紙Ｐの傾斜搬送方向を推定することが可能となる。
【００５１】
制御部５６のＲＯＭには、後述する斜行検知制御処理ルーチンを実行するためのプログラムや、搬送方向に直交する方向に対するインクジェットヘッド１４の長さ方向の傾斜角度を示す設置傾斜角度が予め記録されている。
【００５２】
なお、インクジェット記録装置１０のその他の構成は、第１の実施の形態と同様であるので、同一符号を付して説明を省略する。
【００５３】
次に、第３の実施の形態に係る作用について説明する。制御部５６が、プリントジョブの指令を受け取って、ピックアップロール１８、全ての搬送ロール、搬送ベルト２４を駆動させると、図９に示す斜行検知制御処理ルーチンを実行する。
【００５４】
まず、ステップ１５０において、斜行センサ１２８Ａ、１２８Ｂの各々から識別マーク１２６の読取位置情報を読み込み、読取位置情報に基づいて搬送ベルト１２４の斜行値を検知し、ステップ１５２において、制御部５６のＲＯＭに予め記憶されているインクジェットヘッド１４の設置傾斜角度を読み込み、設置傾斜角度及び斜行値に基づいて、インクジェットヘッド１４に対する相対斜行値を算出する。
【００５５】
そして、ステップ１５４で、相対斜行値に基づいて、つなぎ目ノズル列間ドット間隔を算出し、ステップ１５６において、プリントジョブに対応する画像データに対して、つなぎ目となるノズルに対応する画素の濃度値を、つなぎ目ノズル列間ドット間隔に応じた分だけ減少させて修正し、ステップ１５８で、濃度値が修正された画像データに基づいて、印刷処理を実行する。
【００５６】
つなぎ目ノズル列間ドット間隔が０になる場合には、濃度値を例えば１／２に減少させて修正することにより、ドットが重なることによる濃度の増加を防止する。
【００５７】
以上説明したように、第３の実施の形態に係るインクジェット記録装置によれば、隣り合うノズル列のつなぎ目となる端部の各々に位置するノズルからのインク滴の吐出によるドットのドット間隔であるつなぎ目ノズル列間ドット間隔が、ノズル列の各ノズルの吐出によるドットのドット間隔であるノズル列内ドット間隔より狭くなるように、複数のノズル列が配列され、かつ、インクジェットヘッドの長さ方向が傾斜しており、ノズル列のつなぎ目に対応するドットによる白スジの発生が抑止されるため、安価かつ簡単な構成で、白スジの発生による画質劣化を防止することができる。
【００５８】
また、温度などの環境によって搬送ベルトの斜行具合が変化しても、斜行値をリアルタイムで検知するため、画像データの濃度値を適切に修正し、画像劣化を防止することができる。
【００５９】
なお、上記の実施の形態では、斜行センサで検知した斜行値に基づいて画像データを修正する場合について説明したが、斜行センサで検知した斜行値に基づいてインクジェットヘッドを斜行させるようにしてもよい。その場合には、アクチュエータなどで構成される補正機構を設け、斜行値に基づいて、インクジェットヘッドの長さ方向の傾斜角度を制御するようにすればよい。
【図面の簡単な説明】
【００６０】
【図１】本発明の第１の実施の形態に係るインクジェット記録装置の構成を示す概略図である。
【図２】本発明の第１の実施の形態に係るインクジェットヘッドの構成を示す斜視図である。
【図３】本発明の第１の実施の形態に係るインクジェットヘッドのノズルの配置を示すイメージ図である。
【図４】本発明の第１の実施の形態に係るインクジェットヘッドを搬送ベルトの搬送方向に対して傾斜させて設置した構成を示す平面図である。
【図５】本発明の第１の実施の形態に係るインクジェットヘッドのノズル列のノズルから吐出されるインク滴のドットの間隔を示すイメージ図である。
【図６】本発明の第１の実施の形態に係るインクジェットヘッドによって吐出されたインク滴によるドットの描画を示すイメージ図である。
【図７】本発明の第２の実施の形態に係るインクジェットヘッドに対して搬送ベルトを傾斜させて設置した構成を示す平面図である。
【図８】本発明の第３の実施の形態に係るインクジェットヘッド及び搬送ベルトの構成を示す平面図である。
【図９】本発明の第３の実施の形態に係るインクジェット記録装置の斜行検知制御処理ルーチンの内容を示すフローチャートである。
【符号の説明】
【００６１】
１０  インクジェット記録装置
１２  インクジェットヘッドユニット
１４、１４Ｙ、１４Ｍ、１４Ｋ  インクジェット
２４、１２４  搬送ベルト
５６  制御部
１２６  識別マーク
１２８Ａ  斜行センサ
Ｐ  記録用紙
【図１】
0004765432.tif 000002
【図２】
0004765432.tif 000003
【図３】
0004765432.tif 000004
【図５】
0004765432.tif 000005
【図６】
0004765432.tif 000006
【図９】
0004765432.tif 000007
【図４】
0004765432.tif 000008
【図７】
0004765432.tif 000009
【図８】
0004765432.tif 000010